(57)【要約】【課題】簡単な構成で間接照明をおこなうレーザー光照射装置の提供を目的とする。【解決手段】レーザー光照射装置７０は、レーザー光７２を発生するレーザー発生部７１と、レーザー光を線状光７４に制御し、線状光７４を発光体８２へ照射することにより、発光体８２のうち線状光７４が照射される照射領域７５を発光させる照射部７３を備える。発光体８２の照射領域７５は線状の発光領域８３として発光する。レーザー光照射装置７０によれば、間接照明設備の施工の省力化、照明装置の配線の簡略化及び設置空間の温度上昇の抑制を図ることができる。【選択図】図１
2020113513.tif 000002
【特許請求の範囲】
【請求項１】
レーザー光を発生するレーザー発生部と、
前記レーザー光を線状光に制御し、前記線状光を発光体へ照射することにより、前記発光体のうち前記線状光が照射される照射領域を発光させる照射部と
を備えるレーザー光照射装置。
【請求項２】
前記照射部は、
前記線状光で前記発光体を発光させ、
前記発光体は、
前記線状光の照射で励起されて発光する蛍光体を含む
請求項１に記載のレーザー光照射装置。
【請求項３】
前記照射部は、
前記線状光で前記発光体を発光させ、
前記発光体は、
前記線状光を拡散する拡散機能を有する
請求項１に記載のレーザー光照射装置。
【請求項４】
前記発光体は、
透明部材に配置されている請求項１から請求項３のいずれか一項に記載のレーザー光照射装置。
【請求項５】
前記レーザー光照射装置は、さらに、
重力の向きを検出するセンサーを備え、
前記照射部は、
前記センサーの検出する前記重力の向きに応じて、前記線状光の照射方向を変更する請求項１から請求項４のいずれか一項に記載のレーザー光照射装置。
【請求項６】
前記レーザー光照射装置は、さらに、
前記レーザー発生部を冷却する冷却部を
備える請求項１から請求項５のいずれか一項に記載のレーザー光照射装置。
【請求項７】
レーザー光を発生するレーザー発生部と、前記レーザー光を線状光に制御し、前記線状光を照射する照射部とを有するレーザー光照射装置と、
前記線状光を入射し、入射した前記線状光の照射方向を変えることにより発光体に向けて前記線状光を照射し、前記発光体のうち前記線状光が照射される照射領域を発光させる方向変更装置と
を備える発光システム。
【請求項８】
第１の色の第１のレーザー光を発生する第１のレーザー発生部と、前記第１のレーザー光を第１の線状光に制御し、前記第１の線状光を第１の発光体へ照射する第１の照射部を有する第１のレーザー光照射装置と、
第２の色の第２のレーザー光を発生する第２のレーザー発生部と、前記第２のレーザー光を第２の線状光に制御し、前記第２の線状光を前記第１の発光体へ照射する第２の照射部を有する第２のレーザー光照射装置と、
第３の色の第３のレーザー光を発生する第３のレーザー発生部と、前記第３のレーザー光を第３の線状光に制御し、前記第３の線状光を前記第１の発光体へ照射する第３の照射部を有する第３のレーザー光照射装置と
を備え、
前記第１の照射部と前記第２の照射部と前記第３の照射部とは、
前記第１の線状光と、前記第２の線状光と、前記第３の線状光とを前記第１の発光体の照射領域に重ねて照射することにより、前記第１の発光体の照射領域を発光させる発光システム。
【請求項９】
レーザーダイオードを有し、凹部と天井と壁との少なくともいずれかに設置された発光体を前記レーザーダイオードで照射することにより発光させ、前記発光体によって天井面と壁面と床面との少なくともいずれかを照射する間接照明システム。
【発明の詳細な説明】
【技術分野】
【０００１】
この発明は、レーザー光照射装置、発光システム及び間接照明システムに関する。
【背景技術】
【０００２】
従来の間接照明装置は、複数の光源を一列に並べる、または重ね合わせて並べることで、ムラ無く壁面を照明していた。その為、照明器具のサイズも大きく、構成も複雑であった（例えば特許文献１，２）。
また、従来の間接照明では、天井近傍に設けられた設置空間に複数の照明器具を一列に並べることによりムラ無く壁面等を照明していた。その為、設置台数に応じた配線施工、設置工事が必要であった。また、狭い空間内に設置する場合は熱がこもった。
【先行技術文献】
【特許文献】
【０００３】
【特許文献１】特許第４５２７２３０号
【特許文献２】特許第４８０４４２９号
【発明の概要】
【発明が解決しようとする課題】
【０００４】
この発明は、簡単な構成で間接照明をおこなうレーザー光照射装置の提供を目的とする。
【課題を解決するための手段】
【０００５】
この発明のレーザー光照射装置は、
レーザー光を発生するレーザー発生部と、
前記レーザー光を線状光に制御し、前記線状光を発光体へ照射することにより、前記発光体のうち前記線状光が照射される照射領域を発光させる照射部と
を備える。
【発明の効果】
【０００６】
本発明のレーザー光照射装置によれば、間接照明設備の施工の省力化、照明装置の配線の簡略化及び設置空間の温度上昇の抑制を図ることができる。
【図面の簡単な説明】
【０００７】
【図１】実施の形態１の図で、発光システム１１を示す図。
【図２】実施の形態１の図で、発光システム１１の斜視図。
【図３】実施の形態１の図で、線状光７４を説明する図。
【図４】実施の形態１の図で、線状光７４を説明する別の図。
【図５】実施の形態１の図で、レーザー光照射装置７０が冷却部６０を備える構成を示す図。
【図６】実施の形態１の図で、発光システム１１が室内に使用される態様を示す正面図、側面図及び底面図。
【図７】実施の形態１の図で、発光システム１２を示す図。
【図８】実施の形態１の図で、発光システム１３を配置した部屋の平面図。
【図９】実施の形態１の図で、発光システム１３が設置される部屋の斜視図。
【図１０】実施の形態１の図で、図９の一部を示す図であり、レーザー光照射装置７０の設置位置を示す図。
【図１１】実施の形態１の図で、図１０のＤ方向から見た、レーザー光照射装置７０、ミラー６１、発光体８２及び垂れ壁８４の位置関係を示す図。
【図１２】実施の形態１の図で、図１０のＤ方向から見た、ミラー６１の取付状態を示す図。
【図１３】実施の形態１の図で、発光システム１３を設置している部屋の平面図。
【発明を実施するための形態】
【０００８】
実施の形態１．
図１〜図１３を参照して、実施の形態１の発光システム１１，１２，１３を説明する。発光システム１１，１２，１３は間接照明に関する。
以下に説明する発光システム１１，１２，１３は、レーザーダイオードを有し、凹部と天井と壁との少なくともいずれかに設置された発光体をレーザーダイオードで照射することにより発光させ、発光体によって天井面と壁面と床面との少なくともいずれかを照射する間接照明システムに適用できる。
ここで凹部とは、例えば、後述する図１２において、壁８８、天井８１及び垂れ壁８４で形成される箇所が該当する。
【０００９】
＊＊＊構成の説明＊＊＊
図１は、発光システム１１を示す。
図２は、発光システム１１の斜視図である。発光システム１１は、レーザー光照射装置７０と発光体８２を備えている。
【００１０】
（レーザー光照射装置７０）
レーザー光照射装置７０は、レーザー発生部７１と、照射部７３を備える。
【００１１】
（レーザー発生部７１）
レーザー発生部７１は、レーザー光７２を発生する。レーザー発生部７１は、レーザーダイオードを有し、レーザーダイオードでレーザー光７２を発生する。レーザー光７２は、ビームであり、そのまま照射すると、略点状（小さな円）となる。照明装置は青色レーザーとすることが好ましい。青色レーザーと蛍光体との組み合わせにより白色を得ることができる。なお、レーザー光照射装置７０は紫外レーザーとしてもよい。レーザー発生部７１は、交流電源ＡＣまたは直流電源ＤＣによってレーザー光７２を発生する。
【００１２】
（照射部７３）
照射部７３は、レーザー光７２を入射し、照射面が線状になる線状光７４にレーザー光７２を制御し、線状光７４を発光体８２へ照射することにより、発光体８２のうち線状光７４が照射される照射領域７５を発光させる。照射領域７５は線状光７４と発光体８２の有する面とが交わってできる交線に相当する。この交線が発光したものが発光領域８３である。線状光７４は、照射部７３から平面状に出射する。照射部７３としては回折光学素子（Ｄｉｆｆｒａｃｔｉｖｅ  Ｏｐｔｉｃａｌ  Ｅｌｅｍｅｎｔ）のような部材を用いることができる。線状光７４は、模式的に説明すれば、発光体８２の有する平面に照射された場合、三角形ＡＢＣを形成する。線状光７４のうち辺ＡＢに相当するレーザー光をレーザー光７４１、辺ＡＣに相当するレーザー光をレーザー光７４２と表記する。線状光７４に関しては、辺ＢＣに相当する部分が線状光７４の照射領域７５である。発光体８２に関しては、照射領域７５が発光するが、発光体８２の発光する部分が発光領域８３である。発光領域８３は直線状に発光する。
図３、図４は線状光７４を説明する図である。図１から図４のＸＹＺ座標は同一である。図３は図１のＸＹ平面を見た図である。図４は図１のＺＹ平面を見た図である。線状光７４は照射部７３から平面的に照射されるので、図３及び図４では、仮に目視できるとすれば線状に見えることになる。
【００１３】
（発光体８２）
発光体８２は、例えば天井８１に配置される。発光体８２は、細長い長手形状の板状体である。
照射部７３は、線状光７４で発光体８２を発光させる。発光体８２としては、線状光７４の照射で励起されて発光する蛍光体を含む、蛍光体シートを用いることができる。あるいは発光体８２としては、線状光７４を拡散する拡散機能を有する拡散材を用いることができる。
【００１４】
（冷却部６０）
図５は、レーザー光照射装置７０が冷却部６０を備える構成を示す。レーザー光照射装置７０は、レーザー発生部７１を冷却する冷却部６０を備えてもよい。冷却部６０としては、ファンあるいはヒートシンクのような冷却機構を用いることができる。
【００１５】
図６は、発光システム１１が室内に使用される態様を示す、正面図、底面図及び側面図の３面図を示す。ＸＹＺ座標は３面図で同一である。正面図では、天井８１、壁８９、床９１を示している。レーザー光照射装置７０は正面図の左方向に線状光７４を照射している。正面図では、垂れ壁８４は、便宜的に破線で示している。垂れ壁８４からは、レーザー光照射装置７０によって発光領域８３の発した間接照明光１０が、出射する。底面図に示すように、照射領域７５の発光領域８３は、線状に発光する。
【００１６】
（発光システム１２）
図７は、発光システム１２を示す図である。発光システム１２は、赤、緑、青の３色のレーザー光を用いて、これらの色を混色する。図７は発光システム１２が配置された部屋の正面図及び底面図を示す。正面図のＺ方向は床から天井に向かう方向である。発光システム１２は、それぞれの色の出力を可変し混色することで、混色光を様々な色にできる。
発光システム１２は、第１のレーザー光照射装置７０ａ、第２のレーザー光照射装置７０ｂ、第３のレーザー光照射装置７０ｃ、及び第１の発光体８２ａを備える。
第１のレーザー光照射装置７０ａは、第１の色の第１のレーザー光７２ａである赤色を発生する第１のレーザー発生部７１ａと、第１のレーザー光７２ａを第１の線状光７４ａに制御し、第１の線状光７４ａを第１の発光体８２ａへ照射する第１の照射部７３ａを有する。
第２のレーザー光照射装置７０ｂは、第２の色の第２のレーザー光７２ｂである緑色を発生する第２のレーザー発生部７１ｂと、第２のレーザー光７２ｂを第２の線状光７４ｂに制御し、第２の線状光７４ｂを第１の発光体８２ａへ照射する第２の照射部７３ｂを有する。
第３のレーザー光照射装置７０ｃは、第３の色の第３のレーザー光７２ｃである青色を発生する第３のレーザー発生部７１ｃと、第３のレーザー光７２ｃを第３の線状光７４ｃに制御し、第３の線状光７４ｃを第１の発光体８２ａへ照射する第３の照射部７３ｃを有する。
第１の照射部７３ａと第２の照射部７３ｂと第３の照射部７３ｃとは、第１の線状光７４ａと、第２の線状光７４ｂと、第３の線状光７４ｃとを第１の発光体８２ａの第１の照射領域７５ａに重ねて照射することにより、第１の発光体８２ａの第１の照射領域７５ａを発光させる。
【００１７】
なお、発光システム１２で混色する場合は、蛍光体シートを用いなくてもよく、壁面に直接照射することもできる。
【００１８】
（発光システム１３）
図８から図１３を参照して発光システム１３を説明する。ＸＹＺ座標は図８から図１３で共通である。発光システム１３はレーザー光照射装置７０の出射した線状光７４を反射する方向変更装置９６１を備える構成である。図８から図１３は、図６とレーザー光照射装置７０の設置位置が異なる。
図８は、発光システム１３を配置した部屋の平面図である。
図９は、発光システム１３が設置される部屋の斜視図である。
図１０は、図９の一部を示す図であり、レーザー光照射装置７０の設置位置を示す。
図１１は、図１０のＤ方向から見た、レーザー光照射装置７０、ミラー６１、発光体８２及び垂れ壁８４の位置関係を示す。なおＤ方向は図９におけるＹ方向の反対向き（−Ｙ方向）である。
図１２は、図１０のＤ方向から見た、ミラー６１の取付状態を示す。
【００１９】
発光システム１３は、レーザー光照射装置７０と、発光体８２と、方向変更装置９６１とを備える。発光システム１３は、線状光７４の照射方向を、方向変更装置９６１で変更する。以下では、方向変更装置９６１してミラー６１を例に説明する。
【００２０】
方向変更装置９６１は、線状光７４を入射し、入射した線状光７４の照射方向を変えることにより発光体８２に向けて線状光７４を照射し、発光体８２のうち線状光７４が照射される照射領域７５を発光させる。
以下、具体的に説明する。
【００２１】
図８のＸＹＺ座標においてＺ方向が床から天井に向かう方向である。レーザー光照射装置７０から出射した線状光７４を、ミラー６１が直角に方向を変える。図８に示すように、部屋のコーナー部９０に一つのミラー６１を配置することで、一台のレーザー光照射装置７０でＬ字状の空間を間接照明光１０で照射できる。図９のような室内には、図１０に示すように、天井の角のレーザー光照射装置７０が配置される。レーザー光照射装置７０は、壁面に直付されても良いし、壁面にあけた穴に埋め込まれてもよい。あるいはレーザー光照射装置７０は天井８１に埋め込んでもよい。レーザー光照射装置７０の取り付け方法は、発光システム１１，１２でも同様である。
図１３は、図８と同様な部屋の平面図である。図１３に示すように天井の３つの角にミラー６１を設置することで、１台のレーザー光照射装置７０で天井の周囲全体を間接照明で光らせることができる。
【００２２】
（透明部材）
なお、発光体８２は、透明部材に配置されてもよい。発光体８２が透明部材に配置されることで、透明部材を両面発光させることができる。
【００２３】
（上下の検知）
レーザー光照射装置７０は、天地（上下）を感知し、照射方向を変更できる構成でもよい。この構成により、例えば、レーザー光照射装置７０は常に上方（天井方向）を照射することができる。具体的な構成は以下のようである。レーザー光照射装置７０は、重力の向きを検出するセンサーを備える。照射部７３は、センサーの検出する重力の向きに応じて、線状光７４の照射方向を変更する。なお、センサーは例えば加速度センサーが用いられる。この場合、レーザー光照射装置７０は、センサーの検出する重力の向きに応じて、上方を照射する。レーザー光照射装置７０は天井近傍の設置空間に設けられ、天井面にむけ光を照射するが、レーザー光が直接目に入ることは好ましくない。このため、上記構成とすることで、天井に向けてレーザー光が照射されるので、安全性が担保される。
【００２４】
（設置位置）
なお、レーザー光照射装置７０が床面近傍に設置されると、遮蔽物が存在する場合は所望の箇所に照射できない。この為、間接照明の設置空間が確保可能な箇所への適用が望ましい。
【００２５】
（被照射物）
なお、蛍光体シートの代わりに壁紙のような被照射物に蛍光体を含有させてもよい。その場合は内装工事で施工が可能となる。
【００２６】
以上で説明した、レーザー光照射装置７０，７０ａ，７０ｂ，７０ｃはいずれも、レーザーダイオードを用いた間接照明装置である。
【００２７】
なお、以上ではレーザー光照射装置７０を室内に用いる例を説明したが、レーザー光照射装置７０あるいはレーザー光照射装置７０及び発光体８２を、屋外に適用してもよい。
【００２８】
＊＊＊実施の形態１の効果＊＊＊
発光システム１１及び発光システム１３によれば、１台のレーザー光照射装置７０で間接照明が可能となる。よって、間接照明設備の施工の省力化、及び、照明装置の配線の簡略化を図ることができる。
発光システム１２によれば、簡単な構成で様々な色の間接照明を実現できる。
照明器具によって照射された壁面または天井面を人が見る場合、照明器具が多数設置されている構成では、人は光の継ぎ目が気になることがある。発光システム１１，１２，１１３の場合は、継ぎ目の問題は無い。
また、メンテナンスはレーザー光照射装置７０のみが対象となる為、省力化が図れる。
【符号の説明】
【００２９】
１０  間接照明光、１１，１２，１３  発光システム、１０ａ  発光システム、５０  センサー、６０  冷却部、６１  ミラー、７０  レーザー光照射装置、７０ａ  第１のレーザー光照射装置、７０ｂ  第２のレーザー光照射装置、７０ｃ  第３のレーザー光照射装置、７１  レーザー発生部、７１ａ  第１のレーザー発生部、７１ｂ  第２のレーザー発生部、７１ｃ  第３のレーザー発生部、７２  レーザー光、７２ａ  第１のレーザー光、７２ｂ  第２のレーザー光、７２ｃ  第３のレーザー光、７３  照射部、７３ａ  第１の照射部、７３ｂ  第２の照射部、７３ｃ  第３の照射部、７４  線状光、７４ａ  第１の線状光、７４ｂ  第２の線状光、７４ｃ  第３の線状光、７５  照射領域、７５ａ  第１の照射領域、８１  天井、８２  発光体、８２ａ  第１の発光体、８３  発光領域、８４  垂れ壁、８６  壁、８７  壁、８８  壁、８９  壁、９０  コーナー部、９１  床、９６１  方向変更装置。
【図１】
2020113513.tif 000003
【図２】
2020113513.tif 000004
【図３】
2020113513.tif 000005
【図４】
2020113513.tif 000006
【図５】
2020113513.tif 000007
【図６】
2020113513.tif 000008
【図７】
2020113513.tif 000009
【図８】
2020113513.tif 000010
【図９】
2020113513.tif 000011
【図１０】
2020113513.tif 000012
【図１１】
2020113513.tif 000013
【図１２】
2020113513.tif 000014
【図１３】
2020113513.tif 000015